(57)【要約】【課題】常設使用を前提とした室内サインなどのディスプレイにプロジェクションマッピングの技術を生かすことで、今までにない印象的な表示を行うことができるディスプレイシステムを提供する。【解決手段】室内の壁面４１に固定された表示体２０と、表示体２０に対してプロジェクションマッピング技術を利用した映像を投影するプロジェクタ３０と、を備え、表示体２０は、背景部２１と、背景部２１の前面に文字または図案を浮き彫り状に形成した表示部２２と、を備え、プロジェクタ３０は、室内の天井面４０に固定されており、映像に係る情報を記憶する記憶手段と、映像に係る情報を記憶手段から読み込んで再生する再生手段と、再生手段が再生した映像を投影する投影手段と、を備える。【選択図】図１
2017219792.tif 000002
【特許請求の範囲】
【請求項１】
室内の壁面に固定された表示体と、
前記表示体に対してプロジェクションマッピング技術を利用した映像を投影するプロジェクタと、
を備え、
前記表示体は、背景部と、前記背景部の前面に文字または図案を浮き彫り状に形成した表示部と、を備え、
前記プロジェクタは、室内の天井面に固定されており、前記映像に係る情報を記憶する記憶手段と、前記映像に係る情報を前記記憶手段から読み込んで再生する再生手段と、前記再生手段が再生した映像を投影する投影手段と、を備えることを特徴とする、ディスプレイシステム。
【請求項２】
前記背景部と前記表示部とが同色であることを特徴とする、請求項１記載のディスプレイシステム。
【請求項３】
前記プロジェクタは、前記再生手段が前記映像に係る情報の再生を開始する時間、または前記再生手段が前記映像に係る情報の再生を終了する時間の、少なくともいずれかを設定可能な再生時間設定手段を備えることを特徴とする、請求項１又は２記載のディスプレイシステム。
【発明の詳細な説明】
【技術分野】
【０００１】
この発明は、オフィスや店舗の入り口に設けられる室内サインに最適なディスプレイシステムに関する。
【背景技術】
【０００２】
オフィスの入り口に設けられる室内サインは、会社の第一印象に関わるものでもあるため様々な趣向を凝らしたものが使用されている。例えば、間接照明などのライティングで視覚効果を高めたり、企業ロゴを立体的に表示したりして、目につきやすく印象的な室内サインが使用されている。
【０００３】
ところで、近年において、パソコンで作成した立体的な映像を建物などに映し出すプロジェクションマッピングと呼ばれる技術が様々な場所で使用されている。こうしたプロジェクションマッピングは、映像を投影する対象となる構造物と、映像を投影するプロジェクタと、プロジェクタに映像を送信するパソコンなどの制御装置と、を使用する。プロジェクションマッピングは屋外で使用されるケースが多く、ビルのような建築物に映像を投影するものがよく知られているが、室内においてプロジェクションマッピングを行うものも存在する。例えば特許文献１には、パーティー会場内においてプロジェクションマッピングを行う技術が開示されている。
【先行技術文献】
【特許文献】
【０００４】
【特許文献１】特許第５９１９４０９号公報
【発明の概要】
【発明が解決しようとする課題】
【０００５】
しかしながら、従来のプロジェクションマッピングは、イベントなどで使用されるものにすぎず、特定の場所に常設することを目指していなかった。このため、プロジェクションマッピングを行うときには、プロジェクタやパソコンなどを設置するためのやぐらを組み、イベントが終了したら撤去する、という態様が一般的であった。
【０００６】
このような現状に鑑み、本発明は、常設使用を前提とした室内サインなどのディスプレイにプロジェクションマッピングの技術を生かすことで、今までにない印象的な表示を行うことができるディスプレイシステムを提供することを課題とする。
【課題を解決するための手段】
【０００７】
本発明は、上記した課題を解決するためになされたものであり、以下を特徴とする。
【０００８】
請求項１記載の発明は、室内の壁面に固定された表示体と、前記表示体に対してプロジェクションマッピング技術を利用した映像を投影するプロジェクタと、を備え、前記表示体は、背景部と、前記背景部の前面に文字または図案を浮き彫り状に形成した表示部と、を備え、前記プロジェクタは、室内の天井面に固定されており、前記映像に係る情報を記憶する記憶手段と、前記映像に係る情報を前記記憶手段から読み込んで再生する再生手段と、前記再生手段が再生した映像を投影する投影手段と、を備えることを特徴とする。
【０００９】
請求項２に記載の発明は、上記した請求項１に記載の発明の特徴点に加え、前記背景部と前記表示部とが同色であることを特徴とする。
【００１０】
請求項３に記載の発明は、上記した請求項１又は２に記載の発明の特徴点に加え、前記プロジェクタは、前記再生手段が前記映像に係る情報の再生を開始する時間、または前記再生手段が前記映像に係る情報の再生を終了する時間の、少なくともいずれかを設定可能な再生時間設定手段を備えることを特徴とする。
【発明の効果】
【００１１】
請求項１に記載の発明は上記の通りであり、表示体は、背景部の前面に文字または図案を浮き彫り状に形成した表示部を備える。このような構成によれば、社名やロゴを浮き彫り状に形成することで、そのままでも社名やロゴを読み取り可能であるので、室内サインとしての役割を果たすことができる。
【００１２】
また、この表示体にプロジェクションマッピング技術を利用した映像を投影すれば、表示体をスクリーンとしてプロジェクションマッピングを行うことができる。プロジェクションマッピングを行うことで、例えば文字や図案を浮き上がらせたり、もともとの表示体の質感とは異なる質感（例えば金属の質感、水の質感、木の質感など）に変えたりすることができる。また、映像データを変えるだけでディスプレイの印象を大きく変えることができるので、デザインの変更にも容易かつ安価に対応することができる。よって、プロジェクションマッピングを行うことで、印象的かつ多彩なディスプレイが可能となる。
【００１３】
また、プロジェクタが室内の天井面に固定されているので、プロジェクタによる投影が上方から行われる。よって、表示体の前に人が立った場合でもプロジェクタによる投影が妨げられない。また、至近距離から映像を投影できるので、高彩度で投影ができ、昼間であっても投影内容を視認することができる。よって、昼間に見ることが多いオフィスの室内サインに最適なディスプレイシステムを提供することができる。
【００１４】
また、プロジェクタは、映像に係る情報を記憶する記憶手段と、映像に係る情報を記憶手段から読み込んで再生する再生手段と、再生手段が再生した映像を投影する投影手段と、を備える。このような構成によれば、パソコンを使用しなくてもプロジェクションマッピングを行うことができるので、オフィスのエントランスに大きな機材を置く必要がない。また、室内の天井面に固定したプロジェクタのみでプロジェクションマッピングができるので、設置場所の制約を受けず、どのような場所にでも設置することができる。
【００１５】
また、請求項２に記載の発明は上記の通りであり、背景部と表示部とが同色である。このような構成によれば、例えばプロジェクションマッピングの視覚効果によって、背景部と表示部とが区別できないようにすることも可能である。例えば、背景部と表示部とを区別できないような映像を投影した後に、表示部が浮き上がるような映像を投影すれば、あたかも立体的な文字や図案が突然出現したかのような視覚効果を与えることができる。
【００１６】
なお、文字等を背景と同色にすると視認性が下がるため、通常は文字等と背景とを同色にはしない。この点、本発明は、あえて文字等を背景と同色にすることで新たな視覚効果を得ることができるようにしている。一方で、表示部が浮き彫り状に形成されているので、プロジェクションマッピングをしていない状態でも文字等を読み取ることは可能であり、背景部と表示部とが同色であっても室内サインとしての機能を果たせるようになっている。
【００１７】
また、請求項３に記載の発明は上記の通りであり、プロジェクタは、再生手段が映像に係る情報の再生を開始する時間、または再生手段が映像に係る情報の再生を終了する時間の、少なくともいずれかを設定可能な再生時間設定手段を備える。このような構成によれば、例えばオフィスの営業時間等に合わせて映像の再生開始や終了の時間を設定することができる。よって、設定した時間が来れば自動的に映像の再生が開始されたり、終了したりするようにできる。このようにプロジェクションマッピングが行われる時間を予め設定しておけば、ディスプレイシステムの設置後にプロジェクタ等の機材を操作しなくてもよいので、常設した場合でも管理が容易である。
【図面の簡単な説明】
【００１８】
【図１】ディスプレイシステムの側面図である。
【図２】ディスプレイシステムの正面図である。
【発明を実施するための形態】
【００１９】
本発明の実施形態について、図を参照しながら説明する。
【００２０】
本実施形態に係るディスプレイシステム１０は、オフィスの入り口や室内店舗などに設けられる室内サインとして使用するのに適したシステムである。このディスプレイシステム１０は、図１及び図２に示すように、室内の壁面４１に固定された表示体２０と、表示体２０に対してプロジェクションマッピング技術を利用した映像を投影するプロジェクタ３０と、を備える。
【００２１】
表示体２０は、図１及び図２に示すように、背景部２１と、表示部２２と、を備える。
【００２２】
背景部２１の表面は、映像を投影するために凹凸のない平滑面となっている。本実施形態においては、壁面４１をそのまま背景部２１として使用しており、壁面４１と背景部２１との境界は存在しない。なお、壁面４１に光沢がある場合には、壁面４１にクリアマット塗装を施して背景部２１を形成してもよい。また、壁面４１に模様が入っている場合には、壁面４１にシートを貼ったり、プレートを配置したりして、背景部２１を構成してもよい。また、背景部２１の表面は曲面であってもよい。
【００２３】
表示部２２は、背景部２１の前面に文字または図案を浮き彫り状に形成したものである。この表示部２２の表面は、映像を投影するために表面が凹凸のない平滑面となっている。また、表示部２２の厚みはすべての箇所において一定となっている。本実施形態に係る表示部２２は、厚みが一定になるように切文字状に切削したアクリル素材で形成されている。なお、本実施形態においては表示部２２が文字からなるが、表示部２２は図案化された文字やロゴなどを含んでいてもよい。また、背景部２１の表面が曲面である場合には、この表示部２２の表面を背景部２１の表面と同じ曲率の曲面としてもよい。
【００２４】
なお、上記した背景部２１及び表示部２２は、本実施形態においては同色となっている。具体的には、プロジェクタ３０からの光を受けやすいように、背景部２１及び表示部２２は、いずれも骨白のアクリル素材が使用されている。骨白のアクリル素材は光沢がなく地味であるので、一般的に室内サインに使用されるものではないが、プロジェクションマッピングによる視覚効果を重視してあえてこのような素材を使用している。
【００２５】
プロジェクタ３０は、図１及び図２に示すように、室内の天井面４０に固定されており、表示体２０の周囲に映像を投影可能に配置される。プロジェクタ３０による映像の投影範囲Ｓは、少なくとも表示部２２のすべてを含むように設定されている。このプロジェクタ３０は、記憶手段と、制御装置と、投影手段と、を備える。
【００２６】
記憶手段は、プロジェクションマッピング技術を利用した映像に係る情報（動画データなど）を記憶するものである。本実施形態においては、記憶手段としてプロジェクタ３０に着脱可能な外部記憶媒体を使用している。例えば、ＵＳＢメモリやＳＤカードなどの外付けフラッシュメモリ装置を使用している。このように外部記憶媒体を使用すれば、外部で作成した映像を簡単にプロジェクタ３０に取り込むことができる。また、記憶媒体に記憶されたデータを書き換えたり、別のデータを記憶した記憶媒体に変えたりするだけで、簡単にプロジェクタ３０で投影する映像の内容を変更することができる。なお、記憶手段は、外部記憶媒体に限らず、プロジェクタ３０に内蔵の記憶装置を使用してもよい。
【００２７】
制御装置は、ＣＰＵを中心に構成され、ＲＯＭ、ＲＡＭ等を備えている。そして、ＣＰＵがＲＯＭに記憶されたプログラムを読み込むことで、各種の入力装置及び出力装置を制御するように構成されている。具体的には、この制御装置は、記憶手段からの読み込みや、投影手段の作動制御を行うソフトウェアを実行することで、再生手段や再生時間設定手段として機能する。なお、制御装置はこれらの各手段に限定されず、他の手段を含んでいても良い。
【００２８】
再生手段は、映像に係る情報を記憶手段から読み込んで再生するものである。具体的には、記憶手段に記憶された動画データを読み込み、読み込んだ動画データを後述する投影手段に送信する。このような動作は、例えば、制御装置に予めインストールされたプロジェクションマッピング用の映像を再生する専用のプログラムを使用して実行される。この再生手段は、動画データをループ再生するようになっており、動画データを終わりまで再生すると、同じ動画データを最初から再生する。本実施形態に係るプロジェクタ３０は、この再生手段を備えているため、パソコンなどの外部機器を使用しなくても、プロジェクタ３０だけで投影を行うことができる。
【００２９】
再生時間設定手段は、再生手段が再生を開始する時間、または再生手段が再生を終了する時間の、少なくともいずれかを設定可能とするためのものである。例えば、この再生時間設定手段は、ユーザが操作可能に設けられた操作部（スイッチなど）が操作されたときに、この操作部からの操作信号を受け取り、その操作信号の内容に従って「再生開始時間」及び「再生終了時間」を内部メモリに書き込む。例えばユーザが「再生開始時間」を「ＡＭ９：００」に設定した場合、内部メモリに保存されている「再生開始時間」の値を「ＡＭ９：００」に設定する。また、ユーザが「再生終了時間」を「ＰＭ１９：００」に設定した場合、内部メモリに保存されている「再生終了時間」の値を「ＡＭ１９：００」に設定する。このように内部メモリに書き込まれた「再生開始時間」及び「再生終了時間」は、上記した再生手段によって読み込まれて使用される。すなわち、内部時計が「再生開始時間」になると、再生手段は自動的に映像の再生を開始し、内部時計が「再生終了時間」になると、再生手段は自動的に映像の再生を終了する。
【００３０】
投影手段は、再生手段が再生した映像を投影するためのものである。この投影手段は、例えば、表示デバイス（液晶やチップ）、光源（ＬＥＤやレーザー）、レンズを備えて構成される。この投影手段は、再生手段から動画データが送信されてきたときに映像の投影を開始する。映像の投影方法は従来のプロジェクタ３０と同様である。例えば、動画データを表示デバイス（液晶やチップ）で表示し、表示デバイスに光源（ＬＥＤやレーザー）からの光を当てて色のついた映像をレンズから照射することで行われる。
【００３１】
上記したプロジェクタ３０は、天井面４０に固定されているため、斜め上方から表示体２０に映像を投影する。よって、図１等に示すように、プロジェクタ３０から投影される光が人の頭などで遮られないようにすることができる。なお、プロジェクタ３０から投影される光を遮らないようにするためには、表示体２０を高い位置に配置することが望ましい。例えば、床面４３から表示体２０の下端部までの高さＨ１を１７０ｃｍ以上とすることが望ましい。一方で、オフィスの入り口や室内店舗などに室内サインとして設ける場合には、あまり高い位置に表示体２０を配置すると視認性が低下してしまう。よって、床面４３から表示体２０の中間部までの高さＨ２を２００ｃｍ以下とすることが望ましい。
【００３２】
また、プロジェクタ３０から投影される光を遮らないようにするために、表示体２０の下部の壁面４１に棚やテーブルなどの什器４２を配置してもよい。什器４２を配置することで、人間が壁面４１に近付き過ぎることを防止できるので、人間が壁面４１に近付き過ぎて光を遮ることを防止できる。また、低い位置に什器４２を配置することで、表示体２０を高い位置に配置した場合でも全体としてバランスの良いデザインとすることができる。
【００３３】
このプロジェクタ３０で映像を投影することで、表示体２０は映像のスクリーンとして使用される。投影される映像はプロジェクションマッピング技術を利用したものであり、例えば表示部２２の輪郭を徐々に浮き上がらせるような演出や、表示部２２の質感が変化するような演出（例えば、表示部２２が金属製に見えるような演出や、表示部２２の内部に水が入っているように見えるような演出）を行う。このような演出を行うことで、インパクトのある印象的な室内サインを提供することができる。
【００３４】
以上説明したように、本実施形態によれば、表示体２０は、背景部２１の前面に文字または図案を浮き彫り状に形成した表示部２２を備える。このような構成によれば、社名やロゴを浮き彫り状に形成することで、そのままでも社名やロゴを読み取り可能であるので、室内サインとしての役割を果たすことができる。
【００３５】
また、この表示体２０にプロジェクションマッピング技術を利用した映像を投影すれば、表示体２０をスクリーンとしてプロジェクションマッピングを行うことができる。プロジェクションマッピングを行うことで、例えば文字や図案を浮き上がらせたり、もともとの表示体２０の質感とは異なる質感（例えば金属の質感、水の質感、木の質感など）に変えたりすることができる。また、映像データを変えるだけでディスプレイの印象を大きく変えることができるので、デザインの変更にも容易かつ安価に対応することができる。よって、プロジェクションマッピングを行うことで、印象的かつ多彩なディスプレイが可能となる。
【００３６】
また、プロジェクタ３０が室内の天井面４０に固定されているので、プロジェクタ３０による投影が上方から行われる。よって、表示体２０の前に人が立った場合でもプロジェクタ３０による投影が妨げられない。また、至近距離から映像を投影できるので、高彩度で投影ができ、昼間であっても投影内容を視認することができる。よって、昼間に見ることが多いオフィスの室内サインに最適なディスプレイシステム１０を提供することができる。
【００３７】
また、プロジェクタ３０は、映像に係る情報を記憶する記憶手段と、映像に係る情報を記憶手段から読み込んで再生する再生手段と、再生手段が再生した映像を投影する投影手段と、を備える。このような構成によれば、パソコンを使用しなくてもプロジェクションマッピングを行うことができるので、オフィスのエントランスに大きな機材を置く必要がない。また、室内の天井面４０に固定したプロジェクタ３０のみでプロジェクションマッピングができるので、設置場所の制約を受けず、どのような場所にでも設置することができる。
【００３８】
また、背景部２１と表示部２２とが同色である。このような構成によれば、例えばプロジェクションマッピングの視覚効果によって、背景部２１と表示部２２とが区別できないようにすることも可能である。例えば、背景部２１と表示部２２とを区別できないような映像を投影した後に、表示部２２が浮き上がるような映像を投影すれば、あたかも立体的な文字や図案が突然出現したかのような視覚効果を与えることができる。
【００３９】
なお、文字等を背景と同色にすると視認性が下がるため、通常は文字等と背景とを同色にはしない。この点、本発明は、あえて文字等を背景と同色にすることで新たな視覚効果を得ることができるようにしている。一方で、表示部２２が浮き彫り状に形成されているので、プロジェクションマッピングをしていない状態でも文字等を読み取ることは可能であり、背景部２１と表示部２２とが同色であっても室内サインとしての機能を果たせるようになっている。
【００４０】
また、プロジェクタ３０は、再生手段が映像に係る情報の再生を開始する時間、または再生手段が映像に係る情報の再生を終了する時間の、少なくともいずれかを設定可能な再生時間設定手段を備える。このような構成によれば、例えばオフィスの営業時間等に合わせて映像の再生開始や終了の時間を設定することができる。よって、設定した時間が来れば自動的に映像の再生が開始されたり、終了したりするようにできる。このようにプロジェクションマッピングが行われる時間を予め設定しておけば、ディスプレイシステム１０の設置後にプロジェクタ３０等の機材を操作しなくてもよいので、常設した場合でも管理が容易である。
【符号の説明】
【００４１】
１０  ディスプレイシステム
２０  表示体
２１  背景部
２２  表示部
３０  プロジェクタ
４０  天井面
４１  壁面
４２  什器
４３  床面
Ｓ  投影範囲
【図１】
2017219792.tif 000003
【図２】
2017219792.tif 000004